(57)【要約】【課題】  前上方より天板の上面が覗き込まれにくい対面カウンタを提供する。【解決手段】  前面板１と、左右の側面板２，２と、天板３とを備える対面カウンタＣにおいて、前面板１を後方に傾斜させるとともに、天板３を前面板１の上端よりも下方に位置するように設け、かつ下端の四隅部にキャスタ６を設ける。【選択図】  図１
2006218180.tif 000002
【特許請求の範囲】
【請求項１】
前板面と、左右の側面板と、天板とを備える対面カウンタにおいて、前記前面板を後方に傾斜させるとともに、前記天板を前面板の上端よりも下方に位置するように設け、かつ下端にキャスタを設けたことを特徴とする対面カウンタ。
【請求項２】
両側面板の上端を、天板の上面よりも上方に位置するようにした請求項１に記載の対面カウンタ。
【請求項３】
前面板の前面に、該前面板と同方向に傾斜する化粧板を、前面板の前方に若干離間するように設けた請求項１または２に記載の対面カウンタ。
【請求項４】
前記左右の側面板の前端部と、カウンタ本体の底板の前端部とを、前記化粧板よりも前方に位置するように設けた請求項３に記載の対面カウンタ。
【請求項５】
化粧板を透明な板材により形成した請求項３または４に記載の対面カウンタ。
【請求項６】
可撓性のシャッタを、天板の上方を覆う位置から、カウンタ内の後端下部に収納可能な位置までの間を移動し得るように設けた請求項１ないし５のいずれかに記載の対面カウンタ。
【請求項７】
天板の上方を覆った際のシャッタの上面が、側面板の上端よりも下方に位置するようにした請求項６に記載の対面カウンタ。
【請求項８】
前面板における天板よりも上方の上端部の後面に、カウンタ内部より引き出したシャッタの上面が摺動するガイド片を後向きに突設するとともに、左右の両側面板の対向面に、シャッタの両側端を摺動可能に案内するガイド溝を設けた請求項６または７に記載の対面カウンタ。
【発明の詳細な説明】
【技術分野】
【０００１】
本発明は、例えば空港の出発ロビー等において臨時の受付などに用いられる対面カウンタに関する。
【背景技術】
【０００２】
空港の出発ロビーや各種のイベント会場等においては、繁忙時に客の待ち時間を短縮し、サービスの向上を図るために、臨時に受付カウンタ、すなわち対面カウンタを設置することがある。
【０００３】
従来の対面カウンタとしては、図６に示すように、垂直な前面板１と、左右の側面板２，２と、天板３とを備え、内部に収納空間４が形成されたものが知られている。
【発明の開示】
【発明が解決しようとする課題】
【０００４】
臨時に設置される対面カウンタは、図６に示すように、接客者Ｐと客Ｕとは立ったままで対面することが多いので、その高さは通常の受付カウンタよりも低い。
【０００５】
そのため、従来の対面カウンタのように、その前面板１が垂直をなしていると、接客者Ｐと客Ｕとの間の距離が近くなってしまい、天板３上のデータやパソコン等による操作情報が前上方から覗き込まれる恐れがある。
【０００６】
また、対面カウンタを通路に設置した際には、左右両側からも覗き込まれる恐れがある。
【０００７】
本発明は、上記問題点を解決するためになされたもので、天板の上面を前方や両側方から容易に覗き込まれることのないようにした対面カウンタを提供することを目的としている。
【課題を解決するための手段】
【０００８】
上記目的を達成するために、本発明の請求項１に記載の対面カウンタは、
前板面と、左右の側面板と、天板とを備える対面カウンタにおいて、前記前面板を後方に傾斜させるとともに、前記天板を前面板の上端よりも下方に位置するように設け、かつ下端にキャスタを設けたことを特徴としている。
この特徴によれば、カウンタの前面板を後方に傾斜させたことにより、前面板の上部と客との間の距離が大となり、天板が客の目線より遠ざかるようになるため、天板の上面及びそれに載置されたパソコン等の操作情報などが、前上方より容易に覗き込まれることがなくなるばかりか、カウンタの上方からの光が前面板の前面に照射されやすくなることでカウンタの前面が明るくなるため、軽快感を有するとともに、美観も増す。
また、カウンタはキャスタを備えているため、設置場所までの移動が容易であり、使い勝手がよくなる。
さらに、カウンタの下端部の前後寸法が、上端部より大となるので、カウンタが安定し、移動時に転倒したりする恐れはない。
さらに、
【０００９】
本発明の請求項２に記載の対面カウンタは、請求項１に記載の対面カウンタであって、
両側面板の上端を、天板の上面よりも上方に位置するようにしたことを特徴としている。
この特徴によれば、カウンタを通路等に設置した際に、天板の上面を左右両側から容易に覗き込まれることがなくなる。
【００１０】
本発明の請求項３に記載の対面カウンタは、請求項１または２に記載の対面カウンタであって、
前面板の前面に、該前面板と同方向に傾斜する化粧板を、前面板の前方に若干離間するように設けたことを特徴としている。
この特徴によれば、カウンタを前方から見たときの見栄えが向上するとともに、化粧板は、前面板と同方向に傾斜し、かつその前面より前方に離間しているため、天板が客の目線よりもさらに遠ざかり、天板の上面が覗き込まれる恐れがより小さくなる。
【００１１】
本発明の請求項４に記載の対面カウンタは、請求項３に記載の対面カウンタであって、
前記左右の側面板の前端部と、カウンタ本体の底板の前端部とを、前記化粧板よりも前方に位置するように設けたことを特徴としている。
この特徴によれば、化粧板の左右端部及び下端部が、左右の側面板及び底板により覆われるため、衝突等による破損等が防止される。
【００１２】
本発明の請求項５に記載の対面カウンタは、請求項４に記載の対面カウンタであって、
化粧板を透明な板材により形成したことを特徴としている。
この特徴によれば、カウンタの前面がより明るくなるため、軽快感を有するとともに、美観も増す。
【００１３】
本発明の請求項６に記載の対面カウンタは、請求項１ないし５のいずれかに記載の対面カウンタであって、
可撓性のシャッタを、天板の上方を覆う位置から、カウンタ内の後端下部に収納可能な位置までの間を移動し得るように設けたことを特徴としている。
この特徴によれば、天板に載置したデータやパソコン等をシャッタにより覆うことができるので、作業が行われていないときや、接客者がカウンタを離れるときなどのセキュリティを高めることができる。
【００１４】
本発明の請求項７に記載の対面カウンタは、請求項６に記載の対面カウンタであって、
天板の上方を覆った際のシャッタの上面が、側面板の上端よりも下方に位置するようにしたことを特徴としている。
この特徴によれば、シャッタの上面よりも上方の側面板の上端部を手掛部として、カウンタを移動させることができる。
【００１５】
本発明の請求項８に記載の対面カウンタは、請求項６または７に記載の対面カウンタであって、
前面板における天板よりも上方の上端部の後面に、カウンタ内部より引き出したシャッタの上面が摺動するガイド片を後向きに突設するとともに、左右の両側面板の対向面に、シャッタの両側端を摺動可能に案内するガイド溝を設けたことを特徴としている。
この特徴によれば、シャッタの上面がガイド片に摺設することにより後向きにガイドされ、側面板の上端よりも下方において天板の上方を確実に覆うことができるとともに、シャッタは側面板のガイド溝に案内されて円滑に移動することができる。
【発明を実施するための最良の形態】
【００１６】
以下、本発明の実施形態を図面に基づいて説明する。なお、図５に示す従来例と同様の部材には、それと同じ符号を付して説明する。
【００１７】
図１は、本発明の対面カウンタの第１の実施形態を示す一部切欠き側面図、図２は、同じく後方より見た斜視図である。
【００１８】
対面カウンタＣは、前面板１と、左右の側面板２，２と、天板３とを備え、天板３の下方には、後面が開口された収納空間４が形成されている。また、前面板１と両側面板２により囲まれた下端には、底板５が取付けられ、この底板５の下面の四隅部には、キャスタ６が取付けられている。収納空間４の中央部において、左右の側面板２の対向面には、棚板７の両側端が固定されている。
【００１９】
天板３の直下には、引出し８が、後方に引き出し可能に収納され、この引出し８の下方の収納空間４の後面開口部には、開閉扉９，９が取付けられている。左右の側面板２の上端部の外面には、カウンタＣを移動する際の把手１０，１０が取付けられている。
【００２０】
なお、上記前面板１は、後方に向かって所定角度、例えば５°ないし１０°の範囲で傾斜させてある。
【００２１】
左右の側面板２の上端は、後方に向かって傾斜するとともに、前端の上面は、前面板１の上面と等高をなして連続している。
【００２２】
天板３は、前面板１及び両側面板２の上端よりも所定寸法離間した下方において、両側端が左右の側面板２の対向面に固定されているとともに、天板３、棚板７及び引出し８の前端と、前面板１の後面との間は、後記するシャッタ１４が上下動し得るように離間している。
【００２３】
左右の側面板２の前端部における前面板１の後面と近接する対向面と、天板３よりも上方の両側面板２の上端部の対向面とには、それぞれ斜め上下方向を向くガイド溝１１と、前後方向を向くガイド溝１２とが、互いに連続して形成されている。前後方向を向くガイド溝１２の後端部は、天板３の上面付近まで下向きに延出させてある。
【００２４】
両ガイド溝１１，１２同士が円弧状をなして連続するコーナー部のやや上方において、前面板１の上端部後面には、ガイド片１３が後向きに突設されている。上記ガイド溝１１，１２には、板厚方向に折曲げ可能な可撓性のシャッタ１４の両側端部が、摺動可能に嵌合して支持されている。
【００２５】
シャッタ１４は、図１に示すように、天板３の上方を開放し、上下方向を向くガイド溝１１に沿って収納空間４の下部に収納される位置と、図３に示すように、前後方向を向くガイド溝１２に沿って後方に摺動させることにより、天板３の上方を覆い得る位置との間を移動させることができる。
【００２６】
収納位置においては、シャッタ１４の下端がガイド溝１１の下端に当接し、上端部がガイド片１３の若干後方の把持可能な位置で停止するようになっている。
【００２７】
天板３の上方の覆った位置において、シャッタ１４は、その後端の中央部に設けた鍵装置１５により施錠することができ、天板３に載置したパソコン１６等の盗難が防止されるなど、セキュリティを高めうるようになっている。なお、上記ガイド片１３の下面は、シャッタ１４の上面と摺動し、両ガイド溝１１，１２のコーナー部を、シャッタ１４が円滑に閉塞位置まで移動するようにガイドしている。
【００２８】
上記第１の実施形態の対面カウンタＣにおいては、前面板１を後方に傾斜させたことにより、その上部と客Ｕとの間の距離が従来のカウンタに比して大となり、天板３が客Ｕの目線より遠ざかるようになるため、天板３の上面に載置したデータやパソコン１６の操作情報などが、前上方より覗き込まれにくくなる。また、対面カウンタＣの上方からの光（自然光や照明光）が前面板１の前面に照射されやすくなることで、照明装置等を設けなくても対面カウンタＣの前面が明るくなるため、軽快感を有するとともに、美観も増すばかりか、対面カウンタＣが目立ちやすくなるため、例えば空港の出発ロビー等の広い空間内において当該対面カウンタＣを使用する際において、利用客が対面カウンタＣを見つけやすくなる。
【００２９】
また、天板３は、左右の側面板２の上端よりも比較的下方に位置しているので、カウンタＣを通路等に設置したとしても、天板３の上面が左右両側から容易に覗き込まれることもなくなる。しかも、天板３よりも上方の側面板２の上端部を補助手掛部として、対面カウンタＣを容易に移動することができる。
【００３０】
また、対面カウンタＣはキャスタ６を備えているため、設置場所までの移動が容易であり、使い勝手がよくなるとともに、対面カウンタＣの下端部の前後寸法が上端部より大となり、安定感が増すので、移動時に転倒させたりする恐れはない。
【００３１】
図４は、本発明の対面カウンタの第２の実施形態を前方より見た斜視図で、上記と同形状をなす対面カウンタＣにおける前面板１の前面に、アクリル等の透明な板材よりなる化粧板１７を、前面板１と同様に後方に傾斜させるとともに、その前面より前方に若干離間するようにして、互いの対向面に挟入した上下左右の複数の取付部材１８と図示しないねじ等により固定してある。
【００３２】
上記のような透明な化粧板１７を正面板１の前面に取付けると、カウンタの前面が明るくなるため、軽快感を有するとともに、美観も増す。
【００３３】
また、化粧板１７は、前面板１の前方に離間して後傾しているので、天板３が客Ｕの目線よりもさらに遠ざかり、その上面がより覗き込まれにくくなる。
【００３４】
図５は、本発明の第３実施形態としての対面カウンタＣ’を前方より見た斜視図であり、上記第２実施形態の対面カウンタＣとほぼ同形状をなしているが、左右の側面板２、２及び底板５は、それらの前端部が化粧板１７の前面よりも前方に位置するように設けてあるとともに、化粧板１７は、左右幅方向の中央位置が左右端部よりも前方に向けて湾曲するように形成されている。
【００３５】
また、透明な化粧板１７（あるいは前面板１）の上部には、例えば「臨時受付けカウンター」等の文字が記載されている。
【００３６】
このように、左右の側面板２、２の前端部と、底板５の前端部とを化粧板１７の前面よりも前方に位置させることで、例えば対面カウンタＣ’の移動時等において壁等に衝突することがあっても、化粧板１７の左右端部及び下端部が左右の側面板２、２及び底板５により覆われていることで、左右の側面板２、２や底板５の前端部が壁等と接触し、化粧板１７の左右端辺部や下端辺部は側面板２、２及び底板５により保護されるため、化粧板１７の破損や損傷等が効果的に防止される。
【００３７】
また、前述したように前面板１及び化粧板１７を後方に傾斜させることにより、対面カウンタＣの上方からの光（自然光や照明光）が前面板１の前面に照射されやすくなり、対面カウンタＣ’の前面が明るくなることで、化粧板１７（あるいは前面板１）の上部に記載されている文字の識別性が効果的に向上するため、利用客は広い空間内においても対面カウンタＣ’を容易に見つけることができる。なお、化粧板１７（あるいは前面板１）の上部には、上記のような文字のみならず、対面カウンタＣ’を提供する会社名やマーク、ロゴ等であってもよい。
【００３８】
さらには、前面板１や化粧板１７等の左右幅方向の略中央部を前方に向けて湾曲させて形成することで、対面カウンタＣ’の側方からの視認性も向上する。
【００３９】
本発明は、上記実施形態に限定されるものではない。
【００４０】
上記実施形態の前面板１及び側面板２は、平板状のものとしているが、それらを、前方及び外側方に円弧状に湾曲する曲面板としたり、一枚の曲面板により、前面板１と両面板２とを一体的に形成したりしてもよい。
【００４１】
また、化粧板１７は、パンチングプレートよりなるものとしてもよい。
【図面の簡単な説明】
【００４２】
【図１】本発明の対面カウンタの第１の実施形態を示す一部切欠き側面図である。
【図２】同じく後方より見た斜視図である。
【図３】同じく、シャッタを閉じた際の斜視図である。
【図４】同じく、対面カウンタの第２の実施形態を、前方より見た斜視図である。
【図５】同じく、対面カウンタの第３の実施形態を、前方より見た斜視図である。
【図６】従来の対面カウンタの一部切欠き側面図である。
【符号の説明】
【００４３】
１                前面板
２                側面板
３                天板
４                収納空間
５                底板
６                キャスタ
７                棚板
８                引出し
９                開閉扉
１０              把手
１１，１２        ガイド溝
１３              ガイド片
１４              シャッタ
１５              鍵装置
１６              パソコン
１７              化粧板
１８              取付部材
Ｃ、Ｃ’          対面カウンタ
Ｐ                接客者
Ｕ                客
【図１】
2006218180.tif 000003
【図２】
2006218180.tif 000004
【図３】
2006218180.tif 000005
【図４】
2006218180.tif 000006
【図５】
2006218180.tif 000007
【図６】
2006218180.tif 000008